(57)【要約】      （修正有）【課題】適切にセンタリングされていて、かつ、水平であるような計時器の車セットのアーバーのためのショックアブソーバーベアリングを提供する。【解決手段】ベアリングは、ハウジングと、ハウジング内に配置されており外側センタリング壁２３ｂを有するベアリング支持体２０と、ベアリング支持体２０にマウントされ車セットアーバーのピボット軸を受けるピボットベアリングと、及び車セットアーバーのピボット軸のための弾性支持構成とを有する。ショックアブソーバーベアリングは、さらに、遊び再センタリングデバイス４０を有する。遊び再センタリングデバイス４０には、一方では、内側にベアリング支持体２０の外側センタリング壁２３ｂが配置される内側センタリング壁があるセンタリング要素４２を有する第１の部分があり、他方では、ベアリングアセンブリーに載っており第１の部分に対する戻し効果があるように構成している第２の部分がある。【選択図】図３
2019012061.tif 000002
【特許請求の範囲】
【請求項１】
計時器用車セットのアーバー、特に、バランススタッフ、のためのショックアブソーバーベアリング（１０）であって、
ハウジングと、前記ハウジング内に配置されており外側センタリング壁（２３ｂ）を有するベアリング支持体（２０）と、前記ベアリング支持体（２０）にマウントされ前記車セットアーバーのピボット軸を受けるピボットベアリング（２４）と、及び前記車セットアーバーのピボット軸のための弾性支持構成（２５）とを有し、
前記ショックアブソーバーベアリング（１０）は、さらに、遊び再センタリングデバイス（４０）があるベアリングアセンブリー（１１）を有し、
前記遊び再センタリングデバイス（４０）には、一方では、内側に前記ベアリング支持体（２０）の前記外側センタリング壁（２３ｂ）が配置される内側センタリング壁（４３ａ）があるセンタリング要素（４２）を有する第１の部分があり、他方では、前記ベアリングアセンブリー（１１）に載っており前記第１の部分に対する戻し効果があるように構成している第２の部分がある
ことを特徴とするベアリング。
【請求項２】
前記ベアリング支持体（２０）の前記外側センタリング壁（２３ｂ）と、及び前記センタリング要素（４２）の前記内側センタリング壁（４３ａ）との両方は、テーパー状の壁であり、
前記センタリング要素（４２）の前記内側センタリング壁（４３ａ）のテーパーは、前記ベアリング支持体（２０）の前記外側センタリング壁（２３ｂ）のテーパーと一致している
ことを特徴とする請求項１に記載のベアリング。
【請求項３】
前記ベアリング支持体（２０）の前記外側センタリング壁（２３ｂ）は凸状であり、
前記センタリング要素（４２）の前記内側センタリング壁（４３ａ）はテーパー状である
ことを特徴とする請求項１に記載のベアリング。
【請求項４】
前記ベアリング支持体（２０）の外側センタリング壁（２３ｂ）はテーパー状であり、
前記センタリング要素（４２）の内側センタリング壁（４３ａ）は凸状である
ことを特徴とする請求項１に記載のベアリング。
【請求項５】
前記ベアリングアセンブリー（１１）には、支持用の半径方向の面（１６ａ）と支持用の軸方向の面（１６ｂ）がある円筒形成肩部（１６）がある内壁があり、
前記遊び再センタリングデバイス（４０）の前記第２の部分には、前記肩部（１６）の前記支持用の半径方向の面（１６ａ）上に配置される環状部分（４６）と、及び当該ベアリングの軸の方へと前記支持用の半径方向の面（１６ａ）を越えて延在する弾性部分とがある
ことを特徴とする請求項１〜４のいずれかに記載のベアリング。
【請求項６】
前記弾性部分は、衝撃を受けたときに実質的に軸方向に曲がりいずれの端部遊びをもオフセットし前記ベアリング支持体（２０）がセンタリングされることを確実にするように構成しているいくつかのフレキシブルな細長材（４７）を有する
ことを特徴とする請求項５に記載のベアリング。
【請求項７】
前記フレキシブルな細長材（４７）は、環状の軌道に沿って構成している
ことを特徴とする請求項６に記載のベアリング。
【請求項８】
前記センタリング要素（４２）には、いくつかの補強及びセンタリング用の部材（４５）がある外壁（４４）があり、
各フレキシブルな細長材（４７）の両端はそれぞれ、対応する部材及び前記遊び再センタリングデバイス（４０）の前記第２の部分の前記環状部分（４６）に接続されている
ことを特徴とする請求項６又は７に記載のベアリング。
【請求項９】
各補強部材（４５）には、前記肩部（１６）の前記支持用の軸方向の面（１６ｂ）に対向するように配置される支持面（４５ａ）があり、
各フレキシブルな細長材（４７）には、各部材の支持面からセットバックされている外側側壁（４７ａ）がある
ことを特徴とする請求項８に記載のベアリング。
【請求項１０】
前記弾性部分の前記フレキシブルな細長材（４７）の曲がりの軸は、前記ベアリング軸に一致している
ことを特徴とする請求項６〜９のいずれかに記載のベアリング。
【請求項１１】
前記遊び再センタリングデバイス（４０）の前記第２の部分の前記環状部分（４６）には、正方形又は長方形の断面があり、
前記環状部分は、前記肩部（１６）の前記支持用の半径方向の面（１６ａ）及び前記ベアリングアセンブリー（１１）の前記内壁の支持用の軸方向の面（１５ａ）によって形成される角部に対して力を与えるように予応力を与えられている
ことを特徴とする請求項５〜１０のいずれかに記載のベアリング。
【請求項１２】
前記ベアリングアセンブリー（１１）は、車セットアーバーのピボット軸を通す開口（１３）がある基礎（１２）を有し、
前記ベアリング支持体（２０）は、前記基礎（１２）に載っており、
前記第１の部分の前記センタリング要素（４２）は、当該ベアリングが載せられた構成となっているときに前記基礎（１２）から離れている
ことを特徴とする請求項１〜１１のいずれかに記載のベアリング。
【請求項１３】
プレート及び少なくとも１つのブリッジを有する計時器用ムーブメントであって、
前記プレート及び／又は前記ブリッジには、請求項１〜１２のいずれかに記載のベアリングが挿入される穴がある
ことを特徴とする計時器用ムーブメント。
【発明の詳細な説明】
【技術分野】
【０００１】
本発明は、遊びを再センタリングさせるデバイスを有する、計時器用車セットのアーバー、特に、バランススタッフ、のためのショックアブソーバーベアリングに関する。
【背景技術】
【０００２】
計時器において、車セットアーバーのピボット軸は、プレートやブリッジにてマウントされたベアリング内にて回転する。車やピニオンの一部、特に、バランス、においては、通常、ベアリングがショックアブソーバー機構を備える。実際に、バランススタッフのピボット軸が一般的には細くバランスの質量が比較的大きいために、ショックアブソーバー機構がないと、衝撃があったときにピボット軸が壊れてしまうことがある。
【０００３】
図１ａに、伝統的なショックアブソーバーベアリング１の構成を示している。ドーム状のオリーブ穴ジュエル２は、一般的には、「セッティング」と呼ばれるベアリング支持体３に入れ込まれ、このベアリング支持体３上に受け石４がマウントされる。セッティング３は、受け石４の上側部分に軸方向の力を与えるように構成しているショックアブソーバーばね６によってベアリングアセンブリー５の底部に載るように保持される。また、セッティング３には、ベアリングアセンブリー５の底部の周部に配置されたテーパー状の内壁に対応するように構成しているテーパー状の外壁がある。セッティングの外壁に、凸状の面、すなわち、ドーム状の形、があるような変種も存在する。
【０００４】
セッティング３は、満足に動作させるためには、ショックアブソーバーベアリングのアーバーに適切にセンタリングされていて、かつ、水平でなければならない。部品に許容誤差範囲があるために、このことを確実にすることは容易ではない。
【０００５】
第１の構成においては、図１ｂに示しているように、ベアリングの回転軸に対するセッティング３のセンタリング位置が定められていないという短所があり、これに対して、第２の構成においては、図１ｃに示すように、セッティング３は、ショックアブソーバーベアリングの軸に垂直な軸のまわりを回転することができる。このことによって、セッティング３、ピボット軸及びそこにマウントされる受け石の間の位置に角度が発生してしまうこととなる。
【発明の概要】
【発明が解決しようとする課題】
【０００６】
したがって、本発明は、ショックアブソーバーベアリングの部品の許容誤差範囲によって前記の２つの望まない状況を発生させないような、計時器の車セットのアーバー、特に、バランススタッフ、のためのショックアブソーバーベアリングを提案することを目的とする。
【課題を解決するための手段】
【０００７】
このために、本発明は、計時器用車セットのアーバー、特に、バランススタッフ、のためのショックアブソーバーベアリングに関する。このベアリングは、ハウジングと、前記ハウジング内に配置されており外側センタリング壁を有するベアリング支持体と、前記ベアリング支持体にマウントされ前記車セットアーバーのピボット軸を受けるピボットベアリングと、及び前記車セットアーバーのピボット軸のための弾性支持構成とを有する。前記ショックアブソーバーベアリングは、さらに、遊び再センタリングデバイスを有する。前記遊び再センタリングデバイスには、一方では、内側に前記ベアリング支持体の前記外側センタリング壁が配置される内側センタリング壁があるセンタリング要素を有する第１の部分があり、他方では、前記ベアリングアセンブリーに載っており前記第１の部分に対する戻し効果があるように構成している第２の部分がある。
【０００８】
この戻し効力によって、遊び再センタリングデバイスのセンタリング要素が、製造上のばらつきにかかわらずベアリング支持体に嵌まることが可能になり、ベアリング支持体がセンタリングされベアリングアセンブリーの底部に対して水平に載せられることを確実にする。
【０００９】
好ましい実施形態によると、前記ベアリング支持体の前記外側センタリング壁と、及び前記センタリング要素の前記内側センタリング壁との両方は、テーパー状の壁である。前記センタリング要素の前記内側センタリング壁のテーパーは、前記ベアリング支持体の前記外側センタリング壁のテーパーと一致している。
【００１０】
別の実施形態によると、前記ベアリング支持体の前記外側センタリング壁は凸状であり、前記センタリング要素の前記内側センタリング壁はテーパー状である。
【００１１】
別の実施形態によると、前記ベアリング支持体の外側センタリング壁はテーパー状であり、前記センタリング要素の内側センタリング壁は凸状である。
【００１２】
好ましい実施形態によると、前記ベアリングアセンブリーには、支持用の半径方向の面と支持用の軸方向の面がある円筒形成肩部がある内壁がある。前記遊び再センタリングデバイスの前記第２の部分には、前記肩部の前記支持用の半径方向の面上に配置される環状部分と、及び当該ベアリングの軸の方へと前記支持用の半径方向の面を越えて延在する弾性部分とがある。
【００１３】
好ましい実施形態によると、前記弾性部分は、例えば、環状の軌道に沿って配置される、いくつかのフレキシブルな細長材を有する。このフレキシブルな細長材は、衝撃を受けたときに実質的に軸方向に曲がりいずれの端部遊びをもオフセットし前記ベアリング支持体がセンタリングされることを確実にするように構成している。
【００１４】
好ましい実施形態によると、前記センタリング要素には、いくつかの補強及びセンタリング用の補強部材がある外壁がある。この補強部材は、ベアリング支持体の半径方向の運動を制限し、センタリング要素が載せられることによって、いずれの端部遊びをもオフセットすることを可能にして、ベアリング支持体がセンタリングされることを確実にする。各フレキシブルな細長材の両端はそれぞれ、対応する部材及び前記遊び再センタリングデバイスの前記第２の部分の前記環状部分に接続されている。
【００１５】
好ましい実施形態によると、各補強部材には、前記肩部の前記支持用の軸方向の面に対向するように配置されてベアリング支持体をセンタリングする支持面がある。各フレキシブルな細長材には、各部材の支持面からセットバックされている外側側壁がある。
【００１６】
好ましい実施形態によると、前記弾性部分の前記フレキシブルな細長材の曲がりの軸は、前記ベアリング軸に一致している。
【００１７】
好ましい実施形態によると、前記遊び再センタリングデバイスの前記第２の部分の前記環状部分には、正方形又は長方形の断面がある。前記環状部分は、前記肩部の前記支持用の半径方向の面及び前記ベアリングアセンブリーの前記内壁の支持用の軸方向の面によって形成される角部に対して力を与えるように予応力を与えられている（例えば、入れ込まれている）。
【００１８】
好ましい実施形態によると、前記ベアリングアセンブリーは、車セットアーバーのピボット軸を通す開口がある基礎を有する。前記ベアリング支持体は、前記ベアリングアセンブリーの前記基礎に載っている。前記遊び再センタリングデバイスの前記第１の部分の前記センタリング要素は、当該ベアリングが載せられた構成となっているとき、すなわち、当該ベアリングがいずれの外力をも受けていないときに、前記基礎から離れている。
【００１９】
好ましい実施形態によると、前記遊び再センタリングデバイスは、モノリシックな形態である。
【００２０】
添付の図面を参照しながら純粋に例として与えられるいくつかの実施形態（これに限定されない）についての説明を読むことで、本発明の他の特徴及び利点が明確になるであろう。
【図面の簡単な説明】
【００２１】
【図１】図１ａは、当該分野における現状の技術によるショックアブソーバーベアリングの軸を通る断面を示している。図１ｂは、図１ａと同様な図であり、セッティングが第１の位置にある。図１ｃは、図１ａと同様な図であり、セッティングが第２の位置にある。
【図２】本発明の１つの実施形態に係るショックアブソーバーベアリングの軸を通る断面を示している。
【図３】図２のショックアブソーバーベアリングの断面において切断された部分図である。
【図４】図２の遊び再センタリングデバイスを上方から見た斜視図である。
【図５】図４の遊び再センタリングデバイスを下方から見た斜視図である。
【図６】別の実施形態に係るショックアブソーバーベアリングの軸を通る断面を示している。
【発明を実施するための形態】
【００２２】
以下、図２〜５を参照しながら、計時器用の車セットアーバー、特に、バランススタッフ、のためのショックアブソーバーベアリングについて、１つの実施形態に基づいて説明する。
【００２３】
図２及び３を特に参照すると、ショックアブソーバーベアリング１０は、ベアリングアセンブリー１１（以下、「ベアリングアセンブリー」）、ベアリング支持体２０、弾性メンバー３０、及び遊び再センタリングデバイス４０を有する。ベアリングアセンブリー１１の外側カバーは、計時器用ムーブメント（図示せず）のプレートないし一又は複数のブリッジにある一又は複数の穴に挿入される形を有する。ショックアブソーバーベアリング１０がバランスなどのために用いられる場合、インデックスアセンブリーとバランスばねスタッドホルダーは、ベアリングアセンブリー１１のまわりに配置される。このベアリングアセンブリー１１には基礎１２があり、これには、好ましくは、バランススタッフのピボット軸を通すための円筒状の開口１３がある。
【００２４】
ベアリングアセンブリー１１には、さらに、ベアリング支持体２０を受けるハウジングを定める内側側壁がある。このベアリング支持体２０は、「セッティング」として一般的に知られている。この内側側壁には、メイン円筒形成壁１４ａと第１及び第２の相補的な円筒形成壁１４ｂ、１４ｃがある。これらの第１及び第２の相補的な円筒形成壁１４ｂ、１４ｃは、メイン円筒形成壁１４ａの上下両側にあり、これらをそれぞれ、下側円筒形成壁１４ｂと上側円筒形成壁１４ｃと呼ぶ。
【００２５】
下側及び上側壁１４ｂ、１４ｃそれぞれの直径は、ベアリングアセンブリー１１の内側側壁のメイン壁１４ａの直径よりも小さい。このようにして、下側壁１４ｂは、メイン壁１４ａとともに、円筒形成肩部１６を形成する。肩部１６は、メイン壁１４ａとともに、支持用の軸方向の面１５ａと支持用の半径方向の面１６ａがある角部を形成しており、これは、ショックアブソーバーベアリング１０の軸を中心として３６０°にわたって延在している。上側円筒形成壁１４ｃは、メイン壁１４ａとともに、肩部１６の支持用の半径方向の面１６ａに実質的に対向するように構成している支持用の半径方向の面１５ｂを形成している。図示した変種では、上側壁１４ｃは、弾性メンバー３０を取り付けることを可能にするリムを形成している。なお、弾性メンバー３０を取り付けるために他の手段を実装して、上側壁によって形成されるリムを省いて、メイン壁１４ａの上側部分をまっすぐにすることができることは明白である。
【００２６】
セッティング２０には、メイン円筒形成壁２１ａと相補的な円筒形成壁２１ｂがある内側側壁がある。ピボットベアリング２４は、ドーム状のオリーブ穴ジュエルの形態であり、バランススタッフを軸方向のアライメント状態に保持するようにメイン円筒形成壁２１ａの内側にマウントされる。ジュエルホール２４は、好ましくは、入れ込まれる。しかし、セッティングの内壁のメイン円筒形成壁２１ａに、接着剤で接合されたり、他の方法で取り付けられたりすることができる。
【００２７】
セッティング２０のメイン円筒形成壁２１ａの直径は、相補的な円筒形成壁２１ｂの直径よりも小さく、これによって、３６０°にわたって延在している角部を形成する。
【００２８】
この弾性支持構成は、ベアリング支持体２０にマウントされた受け石２５と、及びベアリング支持体２０に軸方向の力を与えるように構成している弾性メンバー３０とを有する。特に、受け石２５の周部は、ベアリングアセンブリー１１のハウジングの内部でマウントされる弾性メンバー３０によって、セッティング２０の角部の支持用の半径方向の面２２ａと支持用の軸方向の面２２ｂに対向するように保持される。弾性メンバー３０は、既知のリラ（lyre）形を有することができ、弾性メンバー３０には、中央部分３１ａが受け石２５の上側部分に載っている下側面３１と、及び周部分３２ａがベアリングアセンブリー１１の支持用の半径方向の面１５ｂに載っている上側面３２がある。弾性メンバー３０は、予応力が与えられた構成となっており、ショックアブソーバーベアリング１０がいずれの外力をも与えられない載せられた構成にあるときに、受け石２５に対して最適な軸方向の力を与える。なお、この弾性メンバーは、様々な形態であることができ、他の手段によってベアリングアセンブリー１１に連結していることができる。例えば、弾性メンバーは、受け石２５を部分的にカバーする形を有することができる。
【００２９】
図２〜５を参照すると、下で説明するように、遊び再センタリングデバイス４０には、セッティング２０に対向するように載せられたセンタリング要素４２を有する第１の部分と、及びベアリングアセンブリー１１に載せられた周部領域がある第２の部分とがあり、第２の部分には第１の部分に対する戻し効果があるようにされる。特に、センタリング要素４２には、円錐形の壁４３ａと相補的な円筒形成壁４３ｂがある内壁と、及び円筒状の外壁４４とがある。
【００３０】
図５では、いくつかの補強部材４５が外壁４４に配置されている。この実施形態において、４つの部材４５が、好ましくは、互いに対して９０°離れるように配置されている。しかし、異なる数の部材を備えた実施形態を想到することができる。例えば、３つの部材が、好ましくは、互いに１２０°離れるように配置される。部材４５にはそれぞれ、ベアリングアセンブリー１１の肩部１６の支持用の軸方向の面１６ｂに対向するように載せられるように構成している支持面４５ａがある。
【００３１】
遊び再センタリングデバイス４０の第２の部分には、ベアリングアセンブリー１１の肩部１６の支持用の半径方向の面１６ａに全体的に載せられる環状部分４６と、及びベアリング１０の軸の方に支持用の半径方向の面１６ａを超えて延在しておりセンタリング要素４２に接続される第２の弾性部分とがある。環状部分４６の断面は、実質的に一定であり、例えば、正方形である（図２）。環状部分４６には、肩部１６の支持用の半径方向の面１６ａ及びベアリングアセンブリー１１のメイン円筒形成壁１４ａの支持用の軸方向の面１５ａによって形成される角部に対して力を与えるように予応力が与えられている。これによって、ベアリングアセンブリー１１に再センタリング要素４２を連結する。もちろん、他の形態の連結も実装することができる。
【００３２】
第２の部分の弾性部分は、センタリング要素４２と同心の、例えば、環状の軌道、に沿って構成しているいくつかのフレキシブルな細長材４７を有する。これらの細長材４７は、補強部材４５に接続されており、衝撃があったときに実質的に軸方向に曲がり、特に、製造におけるばらつきに関連する、いずれの端における遊びをもオフセットして、ベアリングアセンブリー１１の底部においてセッティング２０がセンタリングされ水平に載せられるように構成している。
【００３３】
図４において、弾性部分は、好ましくは、各々が６０°〜８５°にわたる円弧に沿って延在している４つのフレキシブルな細長材４７によって構成しているが、異なる数の細長材も考え得る。例えば、各々が９０°〜１１５°にわたる円弧に沿って延在している３つの細長材を考え得る。
【００３４】
図５に示しているように、各細長材４７の外側側壁４７ａは、各部材４５の支持面４５ａからわずかにセットバックしている。このことによって、フレキシブルな細長材４７が実質的に軸方向の衝撃に起因する応力を吸収するように軸方向に曲がるときに、そのフレキシブルな細長材４７がベアリングアセンブリー１１の肩部１６の軸方向の面１６ｂを「こすること」を防ぐことができ、これによって、細長材が早く磨耗してしまうことを防ぐことができる。
【００３５】
環状部分４６の軸方向の高さに対するセンタリング要素４２の軸方向の高さの比は、図２に示している実施形態において、２よりも大きく、この比は、図６に示している実施形態においては、約１であることができる。なお、この後者の図６に示している実施形態によると、各細長材４７の外側側壁４７ａは、各部材４５の支持面４５ａからセットバックされていなくてもよい。実際に、各部材４５の支持面４５ａの下側部分のみが、肩部１６の支持用の軸方向の面１６ｂに対向するように構成しており、これによって、環状部分４６の内側側壁とフレキシブルな細長材４７の外側側壁４７ａの間のクリアランスに起因して、細長材が肩部１６の支持用の半径方向の面１６ａの上にて半径方向に曲がることができる。
【００３６】
なお、フレキシブルな細長材４７の寸法構成及び遊び再センタリングデバイス４０の材料は、注意深く選択し、かつ、いくつかの要因を考慮しなければならない。例えば、細長材は、弾性メンバー３０の挿入のために軸方向に十分に曲がることができなければならず、弾性メンバーが大きすぎにならないようにしなければならない。反対に、細長材４７は、フレキシブルすぎであってはならず、これによって、セッティングの適切な（再）センタリングを確実にする。
【００３７】
遊び再センタリングデバイスは、好ましくは、モノリシック部品の形態である。この部品は、金属、合金、ケイ素、又はプラスチックエラストマー材料で作ることができる。ばねが金属、合金又はケイ素で作られている場合、その輪郭は、例えば、エッチング、又はフォトリソグラフィーと直流電気成長によって作ることができる。プラスチック材料の場合には、例えば、射出成形技術を用いる。
【００３８】
本発明に係るショックアブソーバーベアリング及びその遊び再センタリングデバイスは、遊び再センタリングデバイスのアクティブなセルフセンタリングと端部遊び補正の効果によって、部品の寸法許容誤差に関連するセッティングのセンタリング又は支持におけるいずれの不確かさをもなくす。実際に、遊び再センタリングデバイスの第２の部分の戻し効果のために、本発明に係る遊び再センタリングデバイスのセンタリング要素４２は、上方に戻される。センタリング要素の内側センタリング壁の位置は、ベアリング支持体の外側のテーパー状のセンタリング壁に対して、許容誤差のセットに依存する高さに調整される。すなわち、遊びがあまりない場合は位置が低く、遊びがたくさんある場合は位置が高い。このことによって、部品の寸法許容誤差に関連するベアリング支持体のセンタリング又は支持における不確かさがなくなる。また、ベアリング支持体に対して、センタリングと水平に押されることの両方を行うことができ、このことは、このバランスガイド部品のために欠かせない。
【００３９】
当然、本発明は、図面を参照して説明した実施形態に限定されず、本発明の範囲から逸脱せずにいくつもの変種を想到することができる。例えば、受け石と弾性メンバーが一体化されているように作ることができる。また、ベアリング支持体及び遊び再センタリングデバイスのセンタリング要素のセンタリング壁は、テーパー状であって、センタリング要素３２の内側センタリング壁４３ａのテーパー状の形状が、好ましくは、ベアリング支持体２０の外側センタリング壁２３ｂのテーパー状の形状に対応しているが、他のセンタリング壁の輪郭をセンタリング機能を行うために適応させることができる。特に、ベアリング支持体２０の外側センタリング壁２３ｂは凸状であることができ、センタリング要素４２の内側センタリング壁４３ａはテーパー状であることができ、ベアリング支持体の外側センタリング壁はテーパー状であることができ、そして、センタリング要素４２の内側センタリング壁４３ａは凸状であることができる。
【符号の説明】
【００４０】
１０  ショックアブソーバーベアリング
１１  ベアリングアセンブリー
１２  基礎
１３  開口
１６  肩部
２０  ベアリング支持体
２４  ピボットベアリング
２５  弾性支持構成
４０  遊び再センタリングデバイス
４２  センタリング要素
４４  外壁
４５  補強部材
４６  環状部分
４７  フレキシブルな細長材
【図１】
2019012061.tif 000003
【図２】
2019012061.tif 000004
【図３】
2019012061.tif 000005
【図４】
2019012061.tif 000006
【図５】
2019012061.tif 000007
【図６】
2019012061.tif 000008